(57)【要約】      （修正有）【課題】少しの浮きの動きで魚信を知ることができ、かつ遠投にも適した魚釣り用浮きを提供する。【解決手段】道糸が球体の浮き本体の中を通る中通し浮きで、道糸が通る糸通し孔１００が浮き本体１０１の横方向に設けられてなる横通し浮きであって、錘部１０２が浮き本体１０１の底部中央又は当該底部中央と当該底部中央の延長上とに取り付け、錘部１０２に対向して浮き本体１０１の上部の視認できる位置に目印の模様等の視認標識部１０３を施し、且つ、浮き止めＮを使用して魚釣り用浮き１を構成する。【選択図】図３
0003152051.tif 000002
【実用新案登録請求の範囲】
【請求項１】
道糸が球体の浮き本体の中を通る中通し浮きで、当該道糸が通る糸通し孔が当該浮き本体の横方向に設けられてなる横通し浮きであって、錘部が当該浮き本体の底部中央又は当該底部中央と当該底部中央の延長上とに取り付けられ、当該浮き本体の底部中央又は当該底部中央と当該底部中央の延長上とに取り付けられた錘部に対向して当該浮き本体の上部の視認できる位置に目印の模様等の視認標識部が施され、且つ、浮き止めを使用する浮きであることを特徴とする魚釣り用浮き。
【考案の詳細な説明】
【技術分野】
【０００１】
本考案は、魚釣り用浮きに関するものである。
【背景技術】
【０００２】
魚釣り用の浮き（浮子、ウキ）は、一般に、釣り糸の途中に取付け、釣り針を一定の水深に保つと共に、魚が釣り針の餌を食べていること、魚が釣り針に掛かったことを知る為に用いる。又、釣り針の餌を含む仕掛けを遠投する役割を持つこともある。
浮きには、各種の種類がある。
釣り糸のうちの釣り竿の先端から錘までの部分である道糸（ラインともいう）を、浮きの外部に取付けして使用する浮きがある。例えば、特開平９−２７５８６０号公報、特開２００５−１２４５５５号公報及び実用新案登録第３０９９５５９号公報には、浮きの側面に釣り糸を挿通できる挿通部を設けて当該挿通部に道糸を通して釣りを行うようにしてなる魚釣り用浮きやミチイトを水に浮く素材の中を通過させないようにした外付けタイプの魚釣り用浮きや浮きを紐を介して釣り糸に連結して使用する外部取付用浮きが提案されている。
当該道糸を、そうした外付けでなく、浮きに糸通し孔を孔設して当該糸通し孔に道糸を通す浮きがある。当該孔通しの浮きには、道糸をその浮きの縦方向に孔設した縦通し孔に通す縦通し浮きがある一方で、当該糸通し孔を、縦方向ではなく、横方向に孔設して当該横方向の糸通し孔に道糸を通す横通し浮きがある。例えば、特開２００５−４６１３０号公報及び実開平６−９４７６号公報には、釣り糸を、浮きの縦方向に孔設した縦通し孔において下方方向から上部にかけて通して使用する縦通し浮きや逆に上から下に道糸を通す縦通し浮きについて記載している。糸通し孔を、こうした縦方向ではなく、横方向に孔設して当該横方向の糸通し孔に道糸を通す横通し浮きについては、例えば、特開２０００−３００１３５号公報、特開２００８−１４８５９１号公報、実開平７−２４０５７号公報、実開平６−８１２７４号公報、特開２０００−７８９４２号公報、実用新案登録第３１１４５０７号公報で提案されている。
浮きの全体形状についても縦長の楕円形状の浮きや見た目が唐辛子に似ている唐辛子浮きや球状・楕球状の浮き等がある。当該縦長の楕円形状の浮きには、前記の道糸をその浮きの縦方向に孔設した縦通し孔に通す縦通し浮きが多い。図４に当該縦長の楕円形状の浮きで、前記の道糸をその浮きの縦方向に孔設した縦通し孔に通す縦通し浮きを図示する。当該浮き４００は、その全体が縦長の楕円形状となっていて、その浮き本体４０１に縦方向に縦通し孔４０２を孔設しており、当該縦通し孔４０２に道糸Ｍを縦方向に通すようになっている。即ち、道糸Ｍが浮きの内部を縦に通っているので、図４に示すように、浮きの上部で道糸Ｍが曲がってしまい、その為に、糸の送り込みがスム−ズにいかないという欠点がある。しかも、浮き４００が深く水中に潜り込まないと浮きの動きが判りずらという欠点もある。これに対して、横通し浮きは、糸の送り込みが、縦通し浮きに比較してスム−ズである。
当該浮きには、浮き止めを使用するタイプと浮き止めを使用しないタイプとがある。前記の特開２０００−７８９４２号公報に記載の浮きは、浮き止めを使用しないタイプのもので、浮き止めを使用せずに、浮きを水面下に沈めて魚信を捉えるようになっている。当該浮き止めを使用するタイプは、水面に浮きを浮かせて魚信を見るもので、浮き止めにより浮きの動きを止めている。
当該浮きには、ハリス側の錘の他に、浮き側に錘を付けたものもある。前記の特開２０００−７８９４２号公報には、錘１４を横通し孔の径方向に偏心させて取り付けている浮きが提案されている。前記の特開２０００−３００１３５号公報に記載の浮きは、複数個の錘を収納することができる収納室を設け、当該収納室内部に収納した錘を出し入れする為に開口を設けてなる浮きが記載されている。前記の実用新案登録３１１４５０７号公報には、錘３が胴体の後方に設けられていて、水鳥の形をした浮き１の頭部が水中に没していく回転運動で魚信を知る浮きが提案されている。前記の実用新案登録３０９９５５９号公報には、錘１が底にあり、魚が釣糸を引くと、ウキが反転するようになっていて、錘１が水面に現れて魚信を知るようになっている浮きが提案されている。前記の実開平６−９４７６号公報には、空洞内部に、筒状の挿通体２に収納し、錘３を当該筒状の挿通体２において上下に移動可能に嵌着した浮きが提案されている。
当該浮きについて、魚信の確認を容易とする等の為に、前記の実用新案登録３０９９５５９号公報は、浮きの色彩を上下で分けることが提案されている。前記の実開平６−８１２７４号公報には、一方側に逆光色を、他方側に蛍光色をそれぞれ塗布した浮きが提案されている。
【先行技術文献】
【特許文献】
【０００３】
【特許文献１】特開平９−２７５８６０号公報、特開２００５−１２４５５５号公報、実用新案登録第３０９９５５９号公報、特開２００５−４６１３０号公報、実開平６−９４７６号公報、特開２０００−３００１３５号公報、特開２００８−１４８５９１号公報、実開平７−２４０５７号公報、実開平６−８１２７４号公報、特開２０００−７８９４２号公報、実用新案登録第３１１４５０７号公報
【考案の概要】
【考案が解決しようとする課題】
【０００４】
本考案は、上記従来技術とは異なり、構造がシンプルで、その作成も容易で、魚釣り用の浮きとして優れた機能を有する新規の浮きに関する技術を提供することを目的としたものである。
本考案の他の目的や新規な特徴については本件明細書及び図面の記載からも明らかになるであろう。
【課題を解決するための手段】
【０００５】
本考案の実用新案登録請求の範囲は、次の通りである。
（請求項１）道糸が球体の浮き本体の中を通る中通し浮きで、当該道糸が通る糸通し孔が当該浮き本体の横方向に設けられてなる横通し浮きであって、錘部が当該浮き本体の底部中央又は当該底部中央と当該底部中央の延長上とに取り付けられ、当該浮き本体の底部中央又は当該底部中央と当該底部中央の延長上とに取り付けられた錘部に対向して当該浮き本体の上部の視認できる位置に目印の模様等の視認標識部が施され、且つ、浮き止めを使用する浮きであることを特徴とする魚釣り用浮き。
【考案の効果】
【０００６】
本考案によれば、道糸が浮き本体の中を通る中通し浮きであるので、浮き本体の中を通過させないようにした外付けタイプの外部取付用浮きに比較して、少しの浮きの動きで魚信を知ることができる。
本考案の浮きは、球体に構成されているので、縦長の楕円形状の浮きのように、浮きが深く水中に潜り込まないと浮きの動きが判りずらという欠点がなく、縦長の楕円形状などの場合には、風が強いときなどに道糸が浮きへ絡まり易いが、本考案の浮きのように球体に構成されていることにより、風が強いときなどの道糸の浮きへの絡まりを少なくすることができる。
本考案の浮きは、道糸が通る糸通し孔が浮き本体の横方向に設けられてなる横通し浮きであるので、浮き本体に縦方向に縦通し孔を孔設してなる縦通し浮きのように、道糸が浮きの内部を縦に通っているために、浮きの上部で道糸が曲がってしまい、その為に、糸の送り込みがスム−ズにいかないという欠点がなく、横通し浮きであるので、糸の送り込みをスム−ズになし得る。
本考案の浮きは、錘部が当該浮き本体の底部中央又は当該底部中央と当該底部中央の延長上とに取り付けられており、当該底部中央の錘部が浮きの中心でバランスを取っており、上記の横通し浮きであることと相俟って、少しの浮きの動きでその角度が変化し、浮きが沈む程の大きな魚信でなくても、僅かな糸の動きで、魚信を確認できる。
本考案の浮きは、当該浮き本体の底部中央、又は、当該当該底部中央と当該底部中央の延長上とに取り付けられた錘部に対向して当該浮き本体の上部の視認できる位置に目印の模様等の視認標識部が施されているので、上記のように錘部が浮きの中心でバランスを取って僅かな糸の動きで浮きの角度が変化し、目印の模様等がその角度が変化して動くので、浮きが沈む程の大きな魚信でなくても、魚信を確認できる。
本考案の浮きは、浮き止めを使用する浮きであり、当該浮き止めにより浮きを安定させて使用できる。又、当該浮き止めにより、浮きを、道糸が浮き本体の中を通る中通し浮きとして使用することができる。
【図面の簡単な説明】
【０００７】
【図１】本考案の実施例を示す魚釣り用浮きの構成図である。
【図２】本考案の実施例を示す魚釣り用浮きの断面図である。
【図３】（Ａ）、（Ｂ）各々本考案の実施例を示す魚釣り用浮きの動作説明図であ                る。
【図４】従来例を示す魚釣り用浮きの構成図である。
【考案を実施するための形態】
【０００８】
次に、本考案の実施例を図面に基づいて説明する。
【実施例】
【０００９】
図１及び図２に示すように、魚釣り用浮き１は、道糸が通る糸通し孔１００が、浮き本体１０１の横方向に設けられてなる。当該糸通し孔１００は、当該浮き本体１０１の中央に横方向に設けられている。
図１及び図２に示すように、魚釣り用浮き１は、球体に構成されている。
道糸が当該浮き本体１００の中を通る中通し浮きであって、且つ、当該道糸が通る糸通し孔１００が当該浮き本体１０１の横方向に設けられてなる横通し浮きである。
図１及び図２に示すように、当該魚釣り用浮き１には、錘部１０２が当該浮き本体１０１の底部中央に取り付けられている。当該錘部１０２は、当該浮き本体１０１に内蔵させても良いが、当該浮きの作成の容易さからは、当該浮き本体１０１の外部の底部中央に取り付けられていればよい。底部中央に１個取り付ければよいが、当該底部中央に加えてその延長上にも取り付け複数個としてもよく、当該錘部１０２の重量を調節できるようにしてもよい。
図１及び図２に示すように、当該浮き本体１０１の底部中央に取り付けられた錘部１０２に対向して当該浮き本体１０１の上部に視認標識部１０３が施されている。当該視認標識部１０３は、色彩模様に構成されていることが好ましい。目印となり、その動きが視認できるように構成する。当該視認標識部１０３は複数個であつてもよい。模様１０３は、目印上色彩を有していることが好ましい。
【００１０】
図３に基づいて当該魚釣り用浮き１による魚信の確認動作を説明する。
図３に示すように、魚釣り用浮き１の浮き本体１０１の横方向に設けられた糸通し孔１００に、道糸Ｍを横方向に通過させる。道糸Ｍが横方向に通っているので、道糸Ｍの送り込みがスム−ズにできる。
当該魚釣り用浮き１には、錘部１０２が当該浮き本体１０１の底部中央に取り付けられており、当該魚釣り用浮き１は、底部でバランスを取っている。当該浮き本体１０１の底部中央に取り付けられた錘部１０２に対向して、当該浮き本体１０１の上部に目印となる模様１０３が施されている。錘部１０２に対向して当該浮き本体１０１の上部の視認できる位置に当該目印の模様１０３が施されている。
本考案の当該魚釣り用浮き１は、図３に示すように、浮き止めＮを使用する浮きであり、当該浮き止めＮにより当該浮き１を安定させて使用できる。又、当該浮き止めＮにより、浮き１を、道糸Ｍが浮き本体１０１の中を通る中通し浮きとして使用することができる。
図３（Ａ）に示すように、バランスの取られた当該魚釣り用浮き１を釣り糸Ｍの途中に取付け、釣り針（図示省略）を一定の水深に保つ。魚が釣り針の餌を食べ、魚が釣り針に掛かると、魚釣り用浮き１の浮き本体１０１の横方向に設けられた糸通し孔１００に通された道糸Ｍが引かれ、当該道糸Ｍの僅かの動きで、底部中央の錘部１０２を中心としてバランスを取っている当該魚釣り用浮き１の角度が変化し、当該浮き本体１０１の上部の目印となる模様１０３も角度が変化して、魚信を容易に確認できる。
【００１１】
本考案の魚釣り用浮き１は、木製、プラスチックなどで形成できる。魚釣り用浮き１に道糸が通る糸通し孔１００を切削等により作成し、浮き本体１０１の横方向に貫通した横孔を設ければよい。
当該魚釣り用浮き１には、錘部１０２を取付け、当該錘部１０２は、脱着可能としてもよい。
当該魚釣り用浮き１には、浮き本体１０１の上部に色彩模様を描いて視認標識部１０３を構成すればよい。
【００１２】
本考案は上記実施例に限定されず、適宜変更が可能である。
【産業上の利用可能性】
【００１３】
本考案の魚釣り用浮き１は、遠投用浮きとしても使用できる。
【符号の説明】
【００１４】
１    魚釣り用浮き
１００    糸通し孔
１０１    浮き本体
１０２    錘
１０３    視認標識部
Ｍ        道糸
Ｎ        浮き止め
【図１】
0003152051.tif 000003
【図２】
0003152051.tif 000004
【図３】
0003152051.tif 000005
【図４】
0003152051.tif 000006